(57)【要約】【課題】  簡単な構造で、収容物を一定単位引き出した状態で係止して、収容物に入れられた製品を必要な分だけ露出させ容易に取り出すことができ、収容物の不用意な落下を防ぐストッパー付包装用スリーブを提供する。【解決手段】  一枚のブランクシートから一体的に打ち抜かれた箱体形成片１１により形成され、互いに平行に連接された側面１２，１４，１６，１８と、側面１４から一体に設けられ組立状態でその他の側面１２に糊付けされる糊付片２０と、糊付片２０から一体に設けられ、筒状に組み立てられた側面１２，１４，１６，１８の内側に突出する係止片３０とを備える。係止片３０には、所定間隔に形成された係合部である切欠部３４を有する。切欠部３４は、トレー４０の被係合部である凸部５１と係合する。【選択図】図１
2006117272.tif 000002
【特許請求の範囲】
【請求項１】
収容物を挿通して収容する筒状の側面を有するストッパー付包装用スリーブにおいて、前記側面には前記収容物を一定単位ごとに引き出した状態で挿通方向の移動を係止する係合部が設けられ、前記収容物に設けられ前記係合部に係止される被係合部と係合可能に形成されていることを特徴とするストッパー付包装用スリーブ。
【請求項２】
前記ストッパー付包装用スリーブは、一枚のブランクシートから一体的に打ち抜かれた箱体形成片により形成され、前記箱体形成片には、互いに平行に連接された側面と、前記側面の一つから一体に設けられ前記箱体形成片の組立状態でその他の前記側面に糊付けされる糊付片と、前記糊付片または前記側面から一体に設けられ前記箱体形成片の組立状態で筒状に組み立てられた側面の内側に突出する係止片とが設けられ、前記係合部は、前記係止片に所定間隔に形成された切欠部であることを特徴とする請求項１記載のストッパー付包装用スリーブ。
【請求項３】
前記収容物は複数の製品を個別に入れる凹部が形成された一体成形のトレーであり、前記トレーには前記製品が個別に入れられ、前記凹部が前記トレーの裏面に突出する凸部となり、前記凸部は前記係合部に係止される被係止部であり、前記切欠部に前記トレーの凸部がクリック感を有して係止されることを特徴とする請求項１または２記載のストッパー付包装用スリーブ。
【発明の詳細な説明】
【技術分野】
【０００１】
この発明は、複数の製品を各々区切って入れられたトレー等を収容するストッパー付包装用スリーブに関する。
【背景技術】
【０００２】
従来、複数の同形の製品を各々区切って収容するために一体成形されたトレーがあり、このトレーには製品を安定して収容するための仕切りや緩衝材となる凹凸部が一体に形成されている。このようなトレーは、例えば筒形の包装用スリーブに摺動可能に収容されている。しかし、この包装用スリーブは筒状の側面のみが設けられているため、不用意にトレーが引き出されたり、傾けるとトレーが滑り落ちたりすることがある。特に、収容されている製品が液体の薬品が入ったアンプルの場合、落下して破損する恐れがあり、高価な液体の薬品が無駄になるおそれもある。
【０００３】
また、包装用スリーブとトレーが互いに係合可能なものが各特許文献１，２等に開示されている。特許文献１に開示されているスライド式振り出し紙箱は、紙箱上面板右側に振り出し口を設けて製箱した振り出し紙箱を、外筒上面板の中央近辺にスライド操作用窓を設けて製箱した角筒状外筒に挿入し、左右移動可能なスライド式振り出し紙箱である。振り出し紙箱の紙箱上面板の中央近辺に繋止用窓を設け、紙箱下面板の左側折り目線上に下部繋止突起片とを設け、振り出し紙箱の紙箱上面板に複数の滑り止め凹溝を設けている。これにより、携帯中の振動などによって、自然に紙箱本体がスライドして振り出し口が開口したり、外筒状体から抜け落ちたりせず、不用意な収容物の落下を防止する。
【０００４】
また、特許文献２に開示されているスライド式芳香剤容器は、一方の側面板の後端縁に外折曲片が連接されると共に所定位置に孔が形成された直方体状の内箱と、一方の側面板の中央部に内折曲片が形成されると共に所定位置に孔が形成された前面が開放され直方体状の外箱が設けられている。内箱の内部に芳香剤が収納され、内箱の外折曲片と外箱の打折曲片とが対向するように、外箱内に内箱が後面板側から挿入されている。そして、内箱を外箱から所定寸法だけ引き出したときに、外折曲片と内折曲片が係合すると共に、内箱に形成された孔と外箱に形成された孔の位置が重なり合って、内部に収納された芳香剤が外気中に揮散するものである。
【特許文献１】特開平１０−１９４３６４号公報
【特許文献２】特開平１０−２５８１１６号公報
【発明の開示】
【発明が解決しようとする課題】
【０００５】
前記従来の特許文献１、特許文献２に開示されている技術の場合、内箱が所定位置に引き出された状態で係止されるストッパー機能を有しているが、段階的に複数個所で係止する機能を有するものはなかった。例えば、製品が並べられて収容されているトレー等を、製品が所定単位、例えば一つずつ取り出す位置に所定の等間隔で係止するものはなく、単なるストッパー機能を備えたものであった。従って、所定単位ずつ取り出す位置にトレー等を係止して、製品を取り出しやすくする包装用スリーブが求められていた。
【０００６】
この発明は、前記従来の技術の問題点に鑑みてなされたものであり、簡単な構造で、収容物を一定単位引き出した状態で係止して、収容物に入れられた製品を必要な分だけ露出させ容易に取り出すことができ、また収容物の不用意な落下を防ぐストッパー付包装用スリーブを提供することを目的とする。
【課題を解決するための手段】
【０００７】
本発明は、収容物を挿通して収容する筒状の側面を有するストッパー付包装用スリーブであり、前記側面には前記収容物を一定単位ごとに引き出した状態で挿通方向の移動を係止する係合部が設けられ、前記収容物に設けられ前記係合部に係止される被係合部と係合可能に形成されているストッパー付包装用スリーブである。
【０００８】
また、前記ストッパー付包装用スリーブは、一枚のブランクシートから一体的に打ち抜かれた箱体形成片により形成されている。前記箱体形成片には、互いに平行に連接された側面と、前記側面の一つから一体に設けられ前記箱体形成片の組立状態でその他の前記側面に糊付けされる糊付片と、前記糊付片または前記側面から一体に設けられ前記箱体形成片の組立状態で筒状に組み立てられた側面の内側に突出する係止片とが設けられ、前記ストッパー付包装用スリーブの前記係合部は、前記係止片に所定間隔に形成された切欠部である。
【０００９】
また、前記収容物は複数の製品を個別に入れる凹部が形成された一体成形のトレーであり、前記トレーには前記製品が個別に入れられ、前記凹部が前記トレーの裏面に突出する凸部となる。そして前記凸部は、前記係止片の切欠部に係止される被係止部であり、前記切欠部にクリック感を有して係止される。
【００１０】
また、前記ストッパー付包装用スリーブの係合部は、前記収容物の引き出し方向の前端部付近に少なくとも一つ形成され、前記収容物の被係合部は、前記収容物の引き出し方向に沿って複数個が所定間隔に形成されていれば良い。逆に、前記ストッパー付包装用スリーブの係合部は、前記収容物の引き出し方向に沿って複数個が所定間隔に形成され、前記収容物の被係合部は、前記収容物の引き出し方向の後端部付近に少なくとも一つ形成されていれば良い。
【発明の効果】
【００１１】
本発明のストッパー付包装用スリーブは、簡単な構造により、複数の製品を並べて入れるトレー等を挿通して収容し、トレーを一定長さ引き出す毎に、例えば製品が一個ずつ露出するごとにクリック感を生じてトレーを係止することができる。これにより、製品の取り出しが容易となり、またトレーの不用意な落下を防ぐことができる。特に、液体の薬品が入れられたアンプル等、高価で破損しやすい製品を安全に取り扱うことができる。
【発明を実施するための最良の形態】
【００１２】
以下、この発明の実施形態について図面に基づいて説明する。図１〜図４はこの発明の一実施形態を示すもので、この実施形態のストッパー付包装用スリーブ１０は、図２に示す箱体形成片１１が、紙製等の一枚のブランクシートを打ち抜いて形成されている。
【００１３】
この箱体形成片１１は、側面１２，１４，１６，１８が一体に連接して形成され、一対の側面１４、１８は、連接方向に幅広に形成されている。側面１８の各折罫線と直角な一端部、ここでは図面上で上方に位置する端部に、後述するトレー４０を移動させるＵ字形の操作溝部１９が、折罫線２６寄りの位置に形成されている。さらに側面１８の、側面１６と反対側の側縁部には、ストッパー付包装用スリーブ１０の組立状態で側面１２の内側に糊付けされる糊付片２０が設けられている。糊付片２０は、連接方向の幅が小さい側面１２，１６よりも少し幅が小さく形成されている。そして、側面１２，１４，１６，１８，糊付片２０は、各々折罫線２２，２４，２６，２８で区切られている。
【００１４】
糊付片２０の、側面１８と反対側の側縁部には、係止片３０が折罫線３２で区切られて設けられている。折罫線３２には、破断した切断線が設けられ、折り曲げやすくされている。係止片３０の連接方向の幅は、幅広の側面１４，１８よりも幅が狭く、幅が小さい側面１２，１６よりも広く形成されている。係止片３０の折罫線３２と平行な側縁部３０ａには、側縁部３０ａに沿って等間隔に、ここでは５個の切欠部３４が設けられている。切欠部３４の間は、係止片３０が切り残された当接部３６となっている。
【００１５】
次にこの実施形態のストッパー付包装用スリーブ１０の組立方法について説明する。なお、ここでは図２がストッパー付包装用スリーブ１０の箱体形成片１１の表面側を見たものであり、箱体形成片１１の表面側が凸になる折り方を正折り、そして裏面側が凸になる折り方を逆折と称する。
【００１６】
まず、折罫線２８を正折りして糊付片２０の表面に糊３８を塗布する。次に折罫線２４を正折りして、側面１２裏面を糊付片２０に糊付けする。次に製品を収容し包装する工場等において、折罫線２２，２４，２６，２８を各々９０°に正折りして四角筒状にする。このとき、折罫線３２は側面２８と係止片３０の裏面同士が鋭角になるように折り曲げられ側面１８裏面に向かい、係止片３０の側縁部３０ａは側面１８裏面にほぼ当接している。
【００１７】
次に、組み立てられたストッパー付包装用スリーブ１０に入れられる収容物であるトレー４０について説明する。トレー４０は、例えば液体の薬品を入れたガラス製のアンプル５４を収容するものであり、合成樹脂等で一体成形されている。トレー４０は図３に示すように所定幅のフランジ部４２が四角状に一周して設けられ、フランジ部４２の内側は、アンプル５４が５本並べて収容される窪みである皿部４４が形成されている。皿部４４には、トレー４０が引き出される方向、なおここでは図３（ｂ）において紙面の上下方向に平行な一側縁部４４ａに、アンプル５４の細い上部分が収容される細径凹部４６が、５箇所等間隔で互いに平行で設けられている。側縁部４４ａと反対側の側縁部４４ｂには、アンプル５４の太い下部分が収容される太径凹部４８が５箇所互いに平行で等間隔に設けられている。太径凹部４８は、細径凹部４６の仮想中心線に一致して設けられ、幅は細径凹部４６よりも広く形成されている。ちなみに、細径凹部４６同士、また太径凹部４８同士の間は、フランジ部４２に対してほぼ平行な板部５０が位置し、細径凹部４６や太径凹部４８に連続している。また細径凹部４６と太径凹部４８の間は、板部５０がなく細径凹部４６と太径凹部４８の底部分と同じ深さの連通された連続底部５２が形成され、その上方が取出用空間となり、アンプル５４を取り出すときに指を入れやすくしてある。トレー４０の裏面には、細径凹部４６の外形が突出し、凸部５１となる。なお、細径凹部４６と太径凹部４８の幅は入れるアンプル５４よりわずかに狭くして、アンプル５４を入れるときに弾性変形してアンプル５４に密着し、がたつきを防止するものでも良い。
【００１８】
次に、トレー４０をストッパー付包装用スリーブ１０に収納する方法について説明する。トレー４０には、液体の薬品を入れたガラス製のアンプル５４等をいれる。このときアンプル５４は細径凹部４６と太径凹部４８に両端部を保持される。そして、アンプル５４を入れたトレー４０をストッパー付包装用スリーブ１０に挿通させ、収容する。このとき、ストッパー付包装用スリーブ１０の係止片３０に、トレー４０の細径凹部４６の外形である凸部５１が位置するようにセットされる。これにより、ストッパー付包装用スリーブ１０の係止片３０の切欠部３４に、トレー４０の凸部５１が差し込まれ、係止される。
【００１９】
そして、トレー４０に入れられているアンプル５４を取り出すときは、ストッパー付包装用スリーブ１０の操作溝部１９に指を入れて操作溝部１９から露出するトレー４０を引き、操作溝部１９側の端部からトレー４０を引き出す。また、操作溝部１９と反対側の端部からトレー４０を押し出しても良い。トレー４０に、挿通方向の力が加えられると、ストッパー付包装用スリーブ１０の係止片３０の当接部３６が弾性変形し、トレー４０の凸部５１が係止片３０の切欠部３４からクリック感を生じながら出て、当接部３６を乗り越え隣の切欠部３４に再びクリック感を生じながら入る。切欠部３４の間隔は、細径凹部４６と太径凹部４８の間隔とほぼ等しいため、アンプル５４を一本露出した状態で係止される。ここでアンプル５４を一本取り出した後、二本目を取り出すときも同様にトレー４０を引き出すと、二本目が露出した状態で係止される。これを繰り返し、最後のアンプル５４まで、確実に一本ずつ係止された状態でトレー４０からアンプル５４取り出すことができる。
【００２０】
この実施形態のストッパー付包装用スリーブ１０によれば、簡単な構造と簡単な組立方法により、トレー４０を所定長さ引き出すごとに、アンプル５４が一本ずつ露出して止まり、クリック感を生じてトレー４０を引き出すことができる。これにより、トレー４０からアンプル５４を取り出すときに、トレー４０がストッパー付包装用スリーブ１０から抜け落ちて散乱したり、アンプル５４がトレー４０と共に落下して破損したりする恐れがなく、取り出し操作が容易である。また、開封後の持ち運び等において、不用意な抜け落ちも防止し、管理が容易となる。また、このストッパー付包装用スリーブ１０は簡単な構造であり、安価で作業効率も良い。トレー４０は特別な構造が不要であり、設計の変更をせずに汎用品を使用することができる。
【００２１】
なお、この発明のストッパー付包装用スリーブは、前記実施形態に限定されず、収容する製品はアンプル以外でも良い。またストッパー付包装用スリーブに収容するトレーの形状は、収納する製品に合わせて凹部の形状と数を変更可能である。トレーには、トレーの引き出し方向に沿って、製品を複数列、例えば二列や三列並べて入れてもよい。また、ストッパー付包装用スリーブに挿通するものは、トレー以外に、係合突起が設けられたものであれば紙箱等でも良い。また、前記ストッパー付包装用スリーブの係合部は、前記収容物の引き出し方向の前端部付近に少なくとも一つ形成され、前記収容物の被係合部は、前記収容物の引き出し方向に沿って複数個が所定間隔に形成されれば良い。逆に、前記ストッパー付包装用スリーブの係合部は、前記収容物の引き出し方向に沿って複数個が所定間隔に形成され、前記収容物の被係合部は、前記収容物の引き出し方向の後端部付近に少なくとも一つ形成されれば良い。
【図面の簡単な説明】
【００２２】
【図１】この発明の一実施形態のストッパー付包装用スリーブの正面図である。
【図２】この実施形態のストッパー付包装用スリーブの展開図である。
【図３】この実施形態のストッパー付包装用スリーブに収容されるトレーの左側面図（ａ）、上面図（ｂ）、正面図（ｃ）である。
【図４】この実施形態のストッパー付包装用スリーブの使用状態を示す斜視図である。
【符号の説明】
【００２３】
１０  ストッパー付包装用スリーブ
１１  箱体形成片
１２，１４，１６，１８  側面
２０  糊付片
３０  係止片
３４  切欠部
３８  糊
４０  トレー
４４  皿部
４６  細径凹部
４８  太径凹部
５１  凸部
【図１】
2006117272.tif 000003
【図２】
2006117272.tif 000004
【図３】
2006117272.tif 000005
【図４】
2006117272.tif 000006